(57)【要約】【課題】ハンガーに吊るした洗濯物は、風で寄ってしまい乾きが悪くなったり、強風で落下することがたびたびある。そのため、ハンガーそのものに強力なグリップ力を持たせるなど工夫された品があるが、必要量を常備するのはなかなか困難である。【解決手段】  洗濯物を竿に掛けた際、必要に応じて、ハンガーのフック部分を小型の固定用具で上から覆って、バネの力で竿に固定する。  固定用具は、従来の洗濯ばさみのように持ち手兼開閉操作部分、支点、挟む部分を持った一対の本体部品と、バネ部材を備えていて、竿を挟むための湾曲した部分を二股として、その間にハンガーのフックを納めて横ずれを防ぎ、ハンガーが竿から外れるのを防ぐためフックを大きくカバーする覆いを設けた。  片手で着脱が簡単におこなえるので、高い位置での作業や、毎日竿を拭き清める際の不自由が少ない。【選択図】図１
2015077376.tif 000002
【特許請求の範囲】
【請求項１】
ハンガーを竿に掛けた際に落下や横移動を防ぐため竿に固定する固定用具で、従来の洗濯ばさみのように、支点を挟んで上方に、片手で扱えるようにした開閉操作部分、下方に物を挟んで掴まえる部分を持った左右一対の本体部品と、バネ部材を備えていて、操作部分末端の左右を押し近づけると、下方の支点から先が開き、適当な位置で手を離すことでバネの力で竿を挟んで固定する仕組みを持ち、竿を保持するための湾曲したくぼみ部分を備え、その部分は二股に分かれていて間に竿に掛けたハンガーのフックを納めるための空間が設けられ、その空間の外縁にハンガーが竿から浮き上がって外れるのを防ぐためにフック部分の外周をカバーする部材を設け、この部材が二股にまたがって連結されていることを特徴とした、洗濯ばさみ状の固定用具。
【発明の詳細な説明】
【技術分野】
【０００１】
この発明は、洗濯物を吊るしたハンガーを竿に保持するための、洗濯ばさみ状固定用具に関するものである。
【背景技術】
【０００２】
従来、ハンガーに吊るした洗濯物が風で落下しないように、竿に掛けたあとで固定できる用具は、あまり選べなかった。
【先行技術文献】
【特許文献】
【０００３】
【特許文献１】特開２００４−１６０１２４
【特許文献２】特開２００４−３４４６１５
【発明の概要】
【発明が解決しようとする課題】
【０００４】
ハンガーに吊るした洗濯物は、風で寄ってしまい乾きが悪くなったり、強風で落下することがたびたびある。
そのため、物干し竿に取り付ける固定用具が工夫されているが、干す前に竿を拭き清めるときには障害になり、作業時間を増やしている。ハンガーそのものにも、強力なグリップ力を持たせるなど工夫された品があるが、必要量を常備するのはなかなか困難である。
本発明では、普通の物干し竿、普通のハンガーを使用している場面で簡便に扱える、ハンガーの固定用具を提供することを目的としている。
【０００５】
物干し竿のなかには、ハンガーを掛けやすいようにあらかじめ等間隔に穴をあけた細い板状の部材を一体成形で取り付けた物もある。通常の竿よりは値が張るし、竿を拭く時少しだけ手間がかかるが、フック部分を穴に通すだけの手軽さで重宝する。
しかし、これを使用しても洗濯物が落下することがたびたびある。
強い風や、突然の突風によって、ハンガーが浮き上がったり、振り子のように揺れたはずみにフックの開口部が上になり支えを失って落ちると思われる。
【０００６】
あらかじめ物干し竿に取り付けて使用する固定用具も工夫されているが、片手で付け外しができるような気軽な物は少ない。これら後から取り付ける部材は、竿を拭き清めようとする時には、凹凸が障害になったり、汚れが溜まりやすい構造であったりして、干す前に手間がかかるものが多い。
固定したフックに対して開口部が大きい場合、どこまでの風にハンガーが落下しないのか不安である。
【０００７】
洗濯物を吊るしたハンガーを、竿に掛けたあとで簡単に固定できる用具があれば重宝する。
既存の竿用洗濯ばさみのように片手で扱えれば、背の低い女性などにも扱いやすい。
ということは竿用洗濯ばさみの二股になったものを竿に掛けたハンガーの上から留め付ければ良いと思われる。
ところが、フックの形や厚みも洗濯物とは違うので、竿用洗濯ばさみといえどもうまく留まらない。支点と竿とのあいだにハンガーを納める空間があまり無いのである。何とか留め付けた物の中にも、バネが持たずに外れたり、ハンガーと洗濯物だけが風で落下したものがあった。
【０００８】
竿に洗濯ばさみだけが残っていた場合、横移動は防げていたものの、洗濯物は落下した。フック部分が竿から離れるのを防げなかったからである。
フックが外れるのは、風による浮き上がりと、振り子運動によるもの、あるいはこの二つの相乗効果によるものと考えられるから、それらの動きを制限すれば洗濯物は落下しない。加えて、ハンガーの納まる空間を確保し、充分なバネの力で竿に固定すれば、横移動も防げる。
【課題を解決するための手段】
【０００９】
ハンガーを竿に掛けた際のフック部分を、小型の固定用具で上から覆って、固定用具の形とバネの力でフックの上部及び前後左右を竿に固定する。
このための固定用具は、従来の竿用洗濯ばさみのように、手でつまめるようにした持ち手操作部分、支点、挟む部分を持った一対の本体部品と、バネ部材を備えていて、片手で簡単に扱えるようにする。
【００１０】
竿を挟むための湾曲した部分を二股として、その間にハンガーのフックを納める空間を設けて左右を固定し、横ずれを防ぐ。
さらに、フックの上を広く覆う部材を追加して、強風でフックが回転したり竿から持ち上がって外れるのを防ぐ。
挟む部分を閉じるためのバネは、ある程度の強度のあるものを用いる。しかしながら普通の筋力の人が片手で扱える程度の簡便さは損なわれないようにする。
【発明の効果】
【００１１】
洗濯物を竿に掛けた際、必要に応じて固定することが可能になる。
風の強い日にハンガーに吊るした洗濯物の落下を防ぐことははもちろん、風で寄り集まって乾きが悪くならないよう、横移動を防ぎ、洗濯物の量によって固定する場所を変えることも自由にできる。
【００１２】
高い位置での作業の負担を減らすよう、片手でも着脱が簡単におこなえる。
簡単に取り外せておけるので、毎日竿を拭き清める際の不自由が少ない。
【００１３】
既存の竿用洗濯ばさみと同じように、竿に干したシーツなどを固定する用途にも、併用できる。
【図面の簡単な説明】
【００１４】
【図１】使用例の立面図
【図２】使用例の断面図
【図３】使用例の断面図
【図４】実施例の斜視図
【図５】側面図
【図６】側面図
【発明を実施するための形態】
【００１５】
中間部に回転支点を持ち、上部分が手掛かりともなる開閉操作部分、下部に竿を挟んで固定するための湾曲した部分を向かい合わせにもった一対の本体部品と、本体下部を閉じるために本体に取り付けられたバネ部材から、主に構成された洗濯ばさみ状の固定用具。左右本体部品は、支点とバネ部材で連結されている。
【００１６】
本体下部の竿を挟むための部分を二股として、竿に掛けたハンガーのフック部分の両横位置の竿を挟んで固定するハンガー固定用具。
【００１７】
二股に分かれた挟む部分の間に竿に掛けたハンガーのフック部分を収納する空間を設けて、左右のそれぞれに支点およびバネ部材を持った、固定用具。
もしくは、支点と竿との間の位置にフックの上部を収納する空間が確保され、なおかつ支点の下方で挟む部分が二股に分かれていて、その間に竿に掛けたハンガーのフック部分を収納する空間が設けられた固定用具。
【００１８】
フック部分の外周部を、上から覆う湾曲した凸部分を設けて、二股の間の外縁に渡してつなぎ合わせる。これを左右本体部材の二股部分に取り付け、あるいは一体成形する。これによって、フック部分の前後と上部を保持する形を作り、強風でフック部分が回転したり竿から持ち上がって外れるのを防ぐ。
【００１９】
従来の洗濯ばさみのように、支点を挟んで上方に、片手で扱えるようにした開閉操作部分、下方に物を挟んで掴まえる部分を持った左右一対の本体部品と、バネ部材を備えていて、操作部分末端の左右を押し近づけると、下方の支点から先が開き、適当な位置で手を離すことでバネの力で竿を挟んで固定する仕組みを持つ。
竿を保持するための湾曲したくぼみ部分を備え、その部分は二股に分かれていて、二股の間に竿に掛けたハンガーのフックを納めるための空間が設けられている。その空間外縁の開口部にハンガーが竿から浮き上がって外れるのを防ぐためにフック部分の外周をカバーする部材を設け、この部材が二股にまたがって連結されている。
【００２０】
挟む部分を閉じるためのバネは、ある程度の強度のあるものを用いる。しかしながら普通の筋力の人が片手で扱える程度の簡便さは損なわれないようにする。
【００２１】
バネの形状は、Ｃ型がイメージされているが、リング状、コイル状、板バネそのほかであってもかまわない。本体部分の材質はプラスチックまたは金属が主に考えられる。
竿を掴むための湾曲状のくぼみ部分、ハンガーのフックを納める部分に、ラバーなどのクッション材を追加したり、、それらの部分に、ドットや波模様などの凹凸をあしらい摩擦力を高めることによって、さらに保持力を増すことも可能である。
【符号の説明】
【００２２】
１  本体
２  バネ部材
３  支点
４  開閉操作部分
５  挟む部分
６  カバー
７  ハンガー収納部分
８  バネ部材用スリット
９  竿
１０  ハンガー
【図１】
2015077376.tif 000003
【図２】
2015077376.tif 000004
【図３】
2015077376.tif 000005
【図４】
2015077376.tif 000006
【図５】
2015077376.tif 000007
【図６】
2015077376.tif 000008